(57)【要約】【課題】面盤の走行溝の形状の工夫により舟型部材の遊びをなくし、面盤に油溝を設けると共に更に油溝中に複数の逃孔を設けたことで、キャリヤのガタツキやビビリの発生を安定的に抑え、編組製品の生産性の向上を実現する。【解決手段】各キャリヤ７に設けられたボビン８から供給される線材９をキャリヤ７の走行に応じて送り出すことにより芯材４の外周を編組するブレードマシン１における面盤３において、走行溝６を成す軌道のうち、夫々の円環形状２、２…が互いに交差する部位及びその近傍における溝幅ｄ２を他の円弧形を有する軌道３２ａ、３２ｂの溝幅ｄ１よりも細径とし、面盤3に環状の油溝１０１を設け、更に油溝１０１に所定の間隔で逃孔３１を設けることで、キャリヤ７、７…の舟型部材１０がガタツキを生じることなく走行することができるように狭めてなる溝幅とした。【選択図】図５
2017218691.tif 000002
【特許請求の範囲】
【請求項１】
面盤の内周に沿って円環形状を連続的に交差してなる走行溝に案内されることによってキャリヤの舟型部材が走行すると共に、前記キャリヤに設けられたボビンから供給される線材を前記キャリヤの走行に応じて送り出すことにより芯材の外周を編組するブレードマシンにおける面盤構造において、前記走行溝を成す軌道のうち、夫々の円環形状が互いに交差する部位及びその近傍における溝幅を他の円弧形を有する軌道の溝幅よりも細径であって、前記キャリヤの舟型部材がガタツキを生じることなく走行することができるように狭めてなる溝幅とする共に、面盤にキャリアの上部袴部材の外周端と接する位置に環状の油溝を設け、更に油溝には廃油及び廃油中の固形化物などを放出する逃孔を所定の間隔で形成したことを特徴とするブレードマシンにおける給油型の面盤構造。
【請求項２】
前記上部袴部材が円形であり、該上部袴部材の外周端は環状の油溝と最も接近した際に該油溝の上面を覆うと共に下部袴部材は油溝と逃孔の下面を覆わずに解放していることを特徴とする請求項１に記載のブレードマシンにおける給油型の面盤構造。
【発明の詳細な説明】
【技術分野】
【０００１】
本発明は、芯材の外周に複数の線材を編組するブレードマシン（編組機）に係り、ボビンに巻回された線材を繰り出すためのキャリヤを面盤に設けられた走行溝に沿って走行するブレードマシンにおける給油型の面盤構造に関する。
【背景技術】
【０００２】
従来、チューブ等の芯材の外周にワイヤ等の線材を編組するブレードマシンは、面盤に設けられた円環形状を連続的に形成してなる連続８字形の走行溝に沿って複数のキャリヤが走行可能に設けられ、夫々のキャリヤに設けられた各ボビンから線材を上方に繰り出すことによって、夫々の線材が、芯材の外周に互いに交差して編組される構造とされている。
【０００３】
上記のブレードマシンに用いられるキャリヤは、キャリヤの下部に設けられた舟型形状の部材（以下、「舟型部材」という）を面盤の走行溝に沿って案内しつつ走行させるようにしている。ところで、上記の走行溝について図３（ａ）を参照しながら説明する。この図は、従来の走行溝６’の部分平面図である。同図に示すように、走行溝６’はいずれの部位においても一定の溝幅に形成され、夫々の円環形状２、２…の内側軌道の曲率に合わせてキャリヤの舟型部材の長さと幅が決定される。
【０００４】
従って、キャリヤの舟型部材１０は、円環形状２の円弧形を成す内側軌道又は外周軌道に沿って走行する場合は、その曲率に合わせて舟型部材１０が作成されているため、舟型部材１０はガタツキを生じることなく走行することができる。
【０００５】
ところが、図３（ａ）の矢印Ｂで示すように、走行溝６’の内周軌道又は外周軌道が交叉する部位においては、部分的に直線軌道が交叉した形状とされているため、内周軌道と外周軌道との間(溝幅間)で舟型部材１０の周囲に遊び３３が生じ、走行時にガタツキが生じたり、キャリヤに振れが生じ、キャリヤの高速走行を実現できない、或いは安定した編組作業ができないという問題を抱えていた。
【０００６】
また、キャリヤの走行回転スピードを速めると、舟型部材１０が、時折、剣先３４にあたりながら走行するため、舟型部材１０や剣先３４に磨耗が生じるという問題があった。
【０００７】
このような問題点を解消するためになされた従来の技術として、特許文献１がある。この文献の構成は、上記の走行溝に相当する波状軌道をレールで構成し、キャリヤの下部にレール挟持手段を設け、レールをスプリングで弾力的に挟持することによって、キャリヤのガタツキやビビリの発生を抑えるようにしたものである。
【特許文献１】特開２００６−４５７４２号公報
【発明の開示】
【発明が解決しようとする課題】
【０００８】
しかしながら、上記の特許文献１の技術は、面盤に走行溝を設けるのではなく、別途、レールや挟持手段を設ける構造としてあるため、構造が複雑になり、作成に手間がかかり、コスト高になるという問題が生じ、現実的にはほとんど一般化されていない。
【０００９】
本発明では、上記のようにレールや他の構造を付加するのではなく、面盤に走行溝を形成した面盤構造を前提とし、簡単な構造によって舟型部材の遊びをなくし、キャリヤのガタツキやビビリの発生を抑え、さらに編組製品の生産性の向上を実現するようにしたブレードマシンにおける給油型の面盤構造を提供することを目的とする。
【課題を解決するための手段】
【００１０】
上記の目的を達成するために、本発明の請求項１のブレードマシンにおける給油型の面盤構造は、面盤の内周に沿って円環形状を連続的に交差してなる走行溝に案内されることによってキャリヤの舟型部材が走行すると共に、前記キャリヤに設けられたボビンから供給される線材を前記キャリヤの走行に応じて送り出すことにより芯材の外周を編組するブレードマシンにおける給油型の面盤構造において、前記走行溝を成す軌道のうち、夫々の円環形状が互いに交差する部位及びその近傍における溝幅を他の円弧形を有する軌道の溝幅よりも細径であって、前記キャリヤの舟型部材がガタツキを生じることなく走行することができるように狭めてなる溝幅と共に、面盤にキャリヤの滑動を円滑にするために、面盤にキャリアの上部袴部材の外周端と接する位置に環状の油溝を設け、更にこの油溝には、廃油及び廃油中の固形化物などを放出する逃孔を設けることで、更に円滑な走行を実現するだけでなく、面盤の劣化を防ぎ長期にわたる安定的な使用を可能としたことを特徴とする。
【００１１】
また、本発明の請求項２のブレードマシンにおける給油型の面盤構造は、前記上部袴部材が円形であり、該上部袴部材の外周端は環状の油溝と最も接近した際に該油溝の上面を覆うと共に下部袴部材は油溝と逃孔の下面を覆わずに解放していることを特徴とする。
【発明の効果】
【００１２】
以上のように構成された本発明によれば、円弧形を有する走行溝は従来と同様の溝幅とし、走行溝を形成する各円環形状が互いに交差する部位及びその近傍、即ち曲率のない略直線状の走行溝においては、円弧形を有する軌道（走行溝）の溝幅よりも細溝であって、キャリヤの舟型部材がガタツキを生じることなく走行することができる溝幅としているため、曲率を有する円弧形の走行溝から、曲率のない略直線状の走行溝を走行して、再び曲率を有する円弧形の走行溝に移行する全走行において、キャリヤの舟型部材が均等にガタツキのない状態で走行することが可能となる。
【００１３】
また、鋼製のワイヤを編組する場合、ワイヤの編組作業中にワイヤ同士が磨耗することで発生した金属粉が面盤上に落下し、その上をキャリヤが走行すると、面盤を傷つけたり、面盤上には、キャリヤの潤滑油がキャリヤの走行中に飛び散った状態にされ、その油に上記の金属粉が混ざった状態にされ、その上をキャリヤが走行することによって、さらに面盤を傷つけたり、金属粉の存在によりキャリアの走行自体にガタツキが生じたり、騒音を発生させていたが、面盤に環状の油溝を設けることで、キャリヤの走行によって、上記の金属粉及び潤滑油を押し出して各油溝内に回収することにより、面盤上から除去することが可能となる。
【００１４】
従って、本発明のブレードマシンの面盤構造は、上記のように面盤の所定箇所に油溝を形成した簡単な構造によって、キャリヤの移動に従い、面盤上の金属粉及び潤滑油を油溝内に回収することが可能となる。
【００１５】
更に、本発明においては、キャリアの上部袴部材として円形形状を採用し、該上部袴部材の外周端が、環状の油溝と最も接近した際にこの油溝の上面を覆う大きさとすることで、キャリアの走行溝上の走行に従って、連続的に金属粉を油溝に誘導させる構造とした。
【００１６】
また、油溝には所定の間隔で逃孔を設けることで、面盤上を各キャリヤが走行することによって移動する潤滑油又は金属粉は、油溝に回収されるだけでなく、キャリアの下部袴部材は油溝と逃孔の下面を覆わずに解放した形状としたことで、油溝内に廃油を滞留させることなく、その都度、逃孔を通じて排出させるので、油溝中に廃油の固形化物などが残留して固着することを防止し、より経時的に使用するのに適した構造を提供したものである。
【００１７】
また、本発明による面盤に設けられた走行溝の形状は、走行するキャリヤの横ブレをなくし、キャリヤの舟型部材の先端が剣先に当ることが殆どなくなると共に、油溝に供給される潤滑油による滑動作用により、キャリヤの走行回転スピードを従来よりも大幅に速めることが可能となる。
【図面の簡単な説明】
【００１８】
【図１】本発明に係るブレードマシンの正面図（部分的に断面部を有する）である。
【図２】本発明に係るブレードマシンにおける給油型の面盤構造の平面図である。
【図３】(ａ)は従来の面盤に設けられた走行溝の部分平面図であり、(ｂ)は本発明の面盤に設けられた走行溝の部分平面図である。
【図４】本発明に係るブレードマシンの面盤の平面図である
【図５】本発明の油溝の概要を示す上面図である。
【図６】本発明の油溝の概要を示す断面図である。
【発明を実施するための最良の形態】
【００１９】
以下、本発明の実施例について図面を参照しながら説明する。
【実施例】
【００２０】
本発明によるブレードマシン１における面盤３は、図1〜図３に示すように、面盤３の内周に沿って円環形状２を連続的に交差してなる走行溝６に沿ってキャリヤ７、７…の舟型部材１０が走行すると共に、キャリヤ７、７…に設けられたボビン８から供給される線材９をキャリヤ７、７…の走行に応じて送り出すことによって芯材４の外周を編組するブレードマシン１における面盤３において、走行溝６を成す軌道のうち、夫々の円環形状２が互いに交差する部位（２点鎖線Ａで示す）及びその近傍における溝幅ｄ２を他の円弧形を有する軌道３２ａ、３２ｂの溝幅ｄ１よりも細径であって、キャリヤ７の舟型部材１０がガタツキを生じることなく走行することができるように狭めてなる溝幅ｄ２（ｄ２＜ｄ１）としたものである。
【００２１】
上記の構成について詳細に述べると、図１に示すように、本発明のブレードマシン１の面盤３は箱形状の筐体１１の上部に構成されている。この筐体１１の内部にはモータ１２が設置され、モータ１２の出力軸に固設された滑車１３に掛けられたベルト１４を介して筐体１１内に設けられた大径の滑車１５に回転力を伝達し、さらに不図示の回転伝達機構を介して駆動ギア１６を回転するようにしている。
【００２２】
この駆動ギア１６は筐体１１の上方に離間して固設された面盤３の下方空間に横設状態で軸支され、その回転軸１６ａは上方へ延長され、回転軸１６ａの途中に設けられたウォーム１７を介して該ウォーム１７に歯合されたウォームホイール１８を回転する。さらにウォームホイール１８に歯合した大径歯車１９と同軸の小径歯車２０を回転することによって、小径歯車２０に歯合した大径滑車２１を回転する。この大径滑車２１は外周に傾斜溝（不図示）を有し、その傾斜溝に、面盤３の中心に形成された中心穴５を通過して連続的に供給されるホース等の可撓性芯材４の外周に編組されてなる編組製品２２を掛けることにより、所定の回転速度で外方のドラム（不図示）に移送して巻き取るようにしている。
【００２３】
また、筐体１１の上部に固設された柱体２３の張出し部材２４の先端には送りガイド２５が取り付けられ、この送りガイド２５に上記の可撓性芯材４が挿通されると共に、その送りガイド２５の下部の編み口３０において、後述する各キャリヤ７、７…に設けられたボビン８、８…から供給される複数の線材９、９…を編組するようにしている。
【００２４】
図２は面盤３及びその周りの状況を示す平面図であり、説明の便宜上、面盤３の中心を通る一点鎖線ＣＬを境にして図の右側に走行溝６と面盤３の下部に設けられた駆動機構を示し、図の左側に面盤３に形成した走行溝６を示してあるが、実際は、これらの駆動機構と走行溝６は面盤３の全域に設けられている。
【００２５】
この図２に示すように、面盤３の下部に設けられた駆動ギア１６に歯合することにより順次回転する複数の連結ギア２６、２６…の各回転軸２７が複数のカム板２８、２８…と同軸に設けられている。夫々のカム板２８は円形板部材の外周４箇所に凹部を成すカム溝２９が形成された構成とされている。
【００２６】
また、図２に示す面盤３は円形の鋼板からなり、中央に形成された中心孔５を囲繞すると共に面盤３の内周に沿って円環形状２、２…を連続的に交差してなる８字形の走行溝６が形成されている。この走行溝６に沿ってキャリヤ７、７…のベース面に設けられた舟型部材１０が案内されつつ走行する。
【００２７】
また、キャリヤ７の舟型部材１０の中央には支軸３１（図１参照）が固定され、この支軸３１は走行溝６を下方に貫通し、その下端はカム板２８に形成されたカム溝２９に係合され、各連結ギア２６の駆動に伴って夫々のカム板２８が回転するに従い、舟型部材１０の支軸３１を隣のカム板２８のカム溝２９に移送することによって、キャリヤ７、７…は連続８字形の走行溝６に沿って走行し、各キャリヤ７、７…に設けられたボビン８に巻回されたワイヤ等の芯材９を上記のように芯材４の外周に送り出して編組する。
【００２８】
上記の構成において、本発明は、面盤３に設けられた走行溝６を成す軌道のうち、夫々の円環形状２が互いに交差する部位及びその近傍における溝幅ｄ２を他の円弧形を有する軌道３２ａ、３２ｂの溝幅ｄ１よりも細径であって、キャリヤ７、７…の舟型部材１０がガタツキを生じることなく走行することができる溝幅ｄ２としている。
【００２９】
このような走行溝６について、図３（ａ）、(ｂ)を用いてより詳細に説明する。図３(ａ)は従来の走行溝６’を示す部分平面図であり、図３(ｂ)は本発明による走行溝６を示す部分平面図である。図３（ａ）、(ｂ)に示す走行溝６’、６を形成する複数の円環形状２、２…が互いに交差する部位及びその近傍（２点鎖線Ａで示す部位）においては、曲率を有する円弧形の軌道３２ａを有する走行溝６’、６が、２点鎖線Ａで示す部位において曲率のない略直線状の軌道３２ｂを描いた後、再び曲率を有する隣の円弧形の軌道３２ａを描く。
【００３０】
ところが、図３（ａ）に示す従来の走行溝６’においては、走行溝６’の全部位において同様の溝幅（ｄ１＝ｄ２）に形成されているため、曲率を有する円弧形の軌道３２ａ、３２ｂ（この部位の溝幅ｄ１）においても、曲率のない略直線状の軌道３２ｃ（この部位の溝幅ｄ２）においても同様の溝幅を有する。このため、従来のキャリヤ７の舟型部材１０が、曲率を有する円弧形の軌道３２ａ、３２ｂを走行する際は、舟型部材１０の周囲に遊びのない状態で走行するのに対して、曲率のない略直線状の軌道３２ｃを走行する際は、舟型部材１０の周囲に遊び３３（１点鎖線Ｂ内）ができ、このためキャリヤ７にガタツキやビビリが生じる。
【００３１】
このような従来の走行溝６’に対して、本発明の走行溝６は、図３(ｂ)に示すように、曲率を有する円弧形の軌道３２ａ、３２ｂは従来と同様の溝幅（溝幅ｄ１）とするが、円環形状２、２…が互いに交差する部位及びその近傍（２点鎖線Ｃで示す部位）、即ち、曲率のない略直線状の軌道３２ｃ（この部位の溝幅ｄ２）においては、円弧形の軌道３２ａ、３２ｂの溝幅ｄ１よりも細径（ｄ２＜ｄ１）であって、キャリヤ７、７…の舟型部材１０がガタツキを生じることなく走行することができるように狭めた溝幅ｄ２としている。このため、本発明の走行溝６においては、曲率を有する円弧形の軌道３２ａから、曲率のない略直線状の軌道３２ｃを走行して、再び曲率を有する円弧形の軌道３２ｂに移行する全走行において、キャリヤ７の舟型部材１０が殆ど遊びのない状態で走行することが可能となる。
【００３２】
このような本発明の走行溝６を有する面盤３によって、該走行溝６を走行するキャリヤ７に横ブレがなく、キャリヤ７の舟型部材１０の先端が剣先３４に当ることが殆どなくなる。また、実験結果として、キャリヤ７の走行回転スピードを速めることが可能となる。
【００３３】
本発明においては、図４に示すように、可撓性芯材４を通過させる中心穴５が形成された面盤３に中心穴５を囲繞して連続した円環形状をなす走行溝６が形成されると共に、該走行溝６に沿って面盤３の上面を走行する複数のキャリヤ７、７…に設けられた各ボビン８から繰り出される夫々の金属線材９を芯材４に編組するブレードマシン１の面盤構造２において、面盤３の上面に回転軸２７を同心とした環状の油溝３１が設けられる。
【００３４】
本実施例では、面盤３の上面に形成される油溝３１として、交差する走行溝６で囲まれた略円形上の内部に環状の溝を設けている。この油溝３１は、夫々幅３〜４ｍｍ、深さ２ｍｍ程度のものであって、底部が矩形又はＵ字形の溝形状としており、また、図５に図示の如く、油溝３１は、走行するキャリヤ７の上部袴部材７ａの外周端が到達する外径であり且つ少なくともこの外周端と接触する位置に設けられている。より詳細には、油溝３１は、走行する複数のキャリヤ７の上部袴部材７ａの外周端の走行軌道上に位置させる。詳細には、本発明では、円形の上部袴部材７ａとすることで、キャリヤ７の走行に従って、油溝３１上を上部袴部材７ａの外周端が沿って走行することから、連続的に様々な個所の廃油を溝３１内に誘導して回収する。
【００３５】
このような構成により、キャリヤ７の走行に伴って該キャリヤ７の上部袴部材7ａが面盤３上に溜注しているグリス等の潤滑油を油溝３１へ掻き入れる部材のように動作することになるため、潤滑油と共に混入された金属粉も常に少しずつ油溝３１へ回収されることとなる。尚、潤滑油に混入する金属粉は、上方の送りガイド２５付近での編組作業中に発生した金属粉が面盤３に落下し、キャリヤ７の走行によって押し出され、移動した金属粉等であり、この際、面盤３上の潤滑油に混入した状態で油溝３１に移動して回収されるが、このように面盤３の上面から金属粉が除去されることで、金属粉による面盤３の損傷が防止される。
【００３６】
図５の平面図及び図６の断面図に示す通り、油溝３１に回収された廃油は、油溝３１に設けた逃孔３２から放出される。面盤３上の油溝３１には、所定の間隔をおいて複数の逃孔３２を設けている。それにより、面盤上を各キャリヤが走行することによって移動する潤滑油又は金属粉は、面盤の外周付近では油溝３１に回収されるだけでなく、その都度、逃孔３２を通じて排出されるので、油溝３１中に油分などが残留て固着することを防止し、より経時的に使用することができる。尚、図６の断面図に示す通り、逃孔３２からの廃油の流出を阻害しない様に、キャリア７の下部袴部材７ａと逃孔３２は接しない位置に設けられていて、即ち、キャリア７の下部袴部材７ａは、キャリア７の上部袴部材７ａの外径よりも小さく形成されている。
【産業上の利用可能性】
【００３７】
本発明のブレードマシンの面盤構造は、面盤に走行溝を形成した構造を前提とし、簡単な構成によってキャリヤの舟型部材の遊びをなくし、キャリヤのガタツキやビビリの発生を抑えると共に、チューブ等の芯材の外周に金属線材を編組するブレードマシンの面盤上に落下する金属粉及び潤滑油を面盤状に形成された複数個所の油溝に回収することで面盤上から除去することによって面盤を保護することが可能である。
【符号の説明】
【００３８】
１    ブレードマシン
２    円環形状
３    面盤
３１  油溝
３２  逃孔
４    芯材
５    中心穴
６    走行溝
６’    従来の走行溝
７  キャリヤ
７ａ  キャリアの上部袴部材
７ｂ  キャリアの下部袴部材
８  ボビン
９  線材
１０  舟型部材
１１  筐体
１２  モータ
１３  滑車
１４  ベルト
１５  滑車
１６  駆動ギア
１６ａ  回転軸
１７  ウォーム
１８  ウォームホイール
１９  大径歯車
２０  小径歯車
２１  大径滑車
２２  編組製品
２３  柱体
２４  張出し部材
２５  送りガイド
２６  連結ギア
２７  回転軸
２８  カム板
２９  カム溝
３０  編み口
３１  支軸
３２ａ  円弧形の軌道
３２ｂ  円弧形の軌道
３２ｃ  曲率のない略直線状の軌道
３３  遊び
３４  剣先
ｄ１  円弧形の軌道の溝幅
ｄ２  曲率のない略直線状の軌道の溝幅
【図１】
2017218691.tif 000003
【図２】
2017218691.tif 000004
【図３】
2017218691.tif 000005
【図４】
2017218691.tif 000006
【図５】
2017218691.tif 000007
【図６】
2017218691.tif 000008
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
面盤の内周に沿って円環形状を連続的に交差してなる走行溝に案内されることによってキャリヤの舟型部材が走行すると共に、前記キャリヤに設けられたボビンから供給される線材を前記キャリヤの走行に応じて送り出すことにより芯材の外周を編組するブレードマシンにおける面盤構造において、前記走行溝を成す軌道のうち、夫々の円環形状が互いに交差する部位及びその近傍における溝幅を他の円弧形を有する軌道の溝幅よりも細径であって、前記キャリヤの舟型部材がガタツキを生じることなく走行することができるように狭めてなる溝幅とする共に、面盤に複数のキャリアの上部袴部材の外周端の走行軌道上に位置させるべくこれらの複数のキャリアの上部袴部材の外周端と接する位置に環状の油溝を設け、且つ、これらの油溝に回収される廃油及び廃油中の金属粉等の固形化物を放出する逃孔を該逃孔からの廃油の流出を阻害しない様にキャリアの下部袴部材と該逃孔が接しない位置に所定の間隔で形成したことを特徴とするブレードマシンにおける給油型の面盤構造。
【手続補正２】
【補正対象書類名】明細書
【補正対象項目名】００１０
【補正方法】変更
【補正の内容】
【００１０】
本発明は上記の目的を達成するために、面盤の内周に沿って円環形状を連続的に交差してなる走行溝に案内されることによってキャリヤの舟型部材が走行すると共に、前記キャリヤに設けられたボビンから供給される線材を前記キャリヤの走行に応じて送り出すことにより芯材の外周を編組するブレードマシンにおける面盤構造において、前記走行溝を成す軌道のうち、夫々の円環形状が互いに交差する部位及びその近傍における溝幅を他の円弧形を有する軌道の溝幅よりも細径であって、前記キャリヤの舟型部材がガタツキを生じることなく走行することができるように狭めてなる溝幅とする共に、面盤に複数のキャリアの上部袴部材の外周端の走行軌道上に位置させるべくこれらの複数のキャリアの上部袴部材の外周端と接する位置に環状の油溝を設け、且つ、これらの油溝に回収される廃油及び廃油中の金属粉等の固形化物を放出する逃孔を該逃孔からの廃油の流出を阻害しない様にキャリアの下部袴部材と該逃孔が接しない位置に所定の間隔で形成することにより、面
盤上の各キャリアが走行することによって移動する廃油となった潤滑油又は金属粉は面盤の外周付近で油溝に回収されるだけでなく、その都度、逃孔を通じて排出され、油溝中に油分などが残留して固着することを防止し、円滑な走行を実現するだけでなく、面盤の劣化を防ぎ長期に亘る安定的使用が可能となる。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】削除
【補正の内容】